(57)【要約】【課題】軽量で、収納する光記録媒体の種類等を外側から確認できるディスクケースを提供すること。【解決手段】光記録媒体３０の中心孔３１に挿通可能な支持柱１２を立設するホルダー１０と、上板２１及び外周壁２２を有するカバー２０とを備え、カバー２０の外周壁２２には、外周壁２２の下端部まで切り取るように形成される６個のスリット状の開口部２４が設けられるディスクケース１００。【選択図】図１
2007118994.tif 000002
【特許請求の範囲】
【請求項１】
円盤状の光記録媒体の中心孔に挿通可能な支持柱を底板の中央部に立設するホルダーと、
前記ホルダーに被せて前記光記録媒体を収納する空間を形成し、円形の上板及び当該上板の周囲から下方に延びる外周壁を有するカバーと、を備え、
前記カバーは、前記外周壁の少なくとも一部に所定の大きさの開口部を設けることを特徴とするディスクケース。
【請求項２】
前記開口部は、前記上板と平行方向の幅Ｌより垂直方向の高さＨが大きくなるような長方形の形状を有することを特徴とする請求項１記載のディスクケース。
【請求項３】
前記外周壁は、複数の前記開口部が所定の間隔Ｄをもって当該外周壁の全面に配置されることを特徴とする請求項１記載のディスクケース。
【請求項４】
底板と当該底板上面の中央部から立設し、複数の光記録媒体の中心孔に挿通可能な支持柱とを有するホルダーと、
円形の上板及びスリット状の切り欠きを設けた外周壁によって複数の前記光記録媒体を収納する空間を形成するカバーと、
を備えることを特徴とするディスクケース。
【請求項５】
前記切り欠きは、前記外周壁の上端部を残し当該外周壁の下端部まで切り取るように形成されることを特徴とする請求項４記載のディスクケース。
【請求項６】
前記外周壁は、複数の前記切り欠きが所定の間隔Ｄをもって当該外周壁の全面に配置されることを特徴とする請求項４記載のディスクケース。
【請求項７】
積み重ねた円盤状の複数の光記録媒体の中心孔に挿通可能な支持柱を底板の中央部に立設するホルダーと、
前記ホルダーに被せて複数の前記光記録媒体を収納し、円形の上板及び所定の間隔をもって当該上板周囲の下方に突出する複数の側板部を有するカバーと、
を備えることを特徴とするディスクケース。
【請求項８】
前記側板部の下端部は、隣接する他の側板部の下端部と一体化することを特徴とする請求項７記載のディスクケース。
【発明の詳細な説明】
【技術分野】
【０００１】
本発明は、ディスクケースに関し、より詳しくは、複数の光記録媒体を積み重ねて収納するディスクケースに関する。
【背景技術】
【０００２】
従来、ＣＤ−Ｒ、ＤＶＤ−Ｒ等の光記録媒体を複数枚積み重ねて収納、運搬するためのディスクケースが知られている（特許文献１参照）。このようなディスクケースは、例えば、円盤状の底部とその底部上面に積み重ねた複数の光記録媒体の中心孔に挿通する支持柱とを有するホルダーと、円形の上板とその周囲から下方に延びる外周壁とから構成される内部に、複数の光記録媒体を収納する空間を形成するカバーとから構成されている。
このようなディスクケースに複数の光記録媒体を収納する場合、各光記録媒体中心孔に支持柱をそれぞれ挿通して積み重ね、ホルダーにカバーを被せ、カバーの下端部をホルダー底部の外周部に嵌め合わせて、光記録媒体を収納する。
【０００３】
【特許文献１】特開２００１−３１５８８２号公報
【発明の開示】
【発明が解決しようとする課題】
【０００４】
ところで、このようなディスクケースは、通常、硬質のプラスチック材料等を用いて成形される。特に、カバーは、複数の光記録媒体を収納する空間を形成するとともに、ディスクケースの強度を保つために、円形の上板の外周全体を覆う所定の厚さの外周壁が必要とされる。
しかし、外周壁全体にプラスチック材料を用いると、ディスクケースの軽量化が困難であると共にプラスチック材料の消費量が増大する。また、ディスクケース内部に収納する光記録媒体の種類等を確認する場合には、外側から見にくい場合がある。
【０００５】
本発明は、このような課題を解決するためになされたものである。即ち、本発明の目的は、軽量で収納する光記録媒体の種類等を外側から確認できるディスクケースを提供することにある。
【課題を解決するための手段】
【０００６】
上記の課題を解決するために、本発明によれば、下記（１）〜（８）が提供される。
（１）  円盤状の光記録媒体の中心孔に挿通可能な支持柱を底板の中央部に立設するホルダーと、ホルダーに被せて光記録媒体を収納する空間を形成し、円形の上板及び上板の周囲から下方に延びる外周壁を有するカバーと、を備え、カバーは、外周壁の少なくとも一部に所定の大きさの開口部を設けることを特徴とするディスクケース。
（２）  開口部は、上板と平行方向の幅Ｌより垂直方向の高さＨが大きくなるような長方形の形状を有することを特徴とする前記（１）記載のディスクケース。
（３）  外周壁は、複数の開口部が所定の間隔Ｄをもって外周壁の全面に配置されることを特徴とする前記（１）記載のディスクケース。
【０００７】
（４）  底板と底板上面の中央部から立設し、複数の光記録媒体の中心孔に挿通可能な支持柱とを有するホルダーと、円形の上板及びスリット状の切り欠きを設けた外周壁によって複数の光記録媒体を収納する空間を形成するカバーと、を備えることを特徴とするディスクケース。
（５）  切り欠きは、外周壁の上端部を残し外周壁の下端部まで切り取るように形成されることを特徴とする前記（４）記載のディスクケース。
（６）  外周壁は、複数の切り欠きが所定の間隔Ｄをもって外周壁の全面に配置されることを特徴とする前記（４）記載のディスクケース。
【０００８】
（７）  積み重ねた円盤状の複数の光記録媒体の中心孔に挿通可能な支持柱を底板の中央部に立設するホルダーと、ホルダーに被せて複数の光記録媒体を収納し、円形の上板及び所定の間隔をもって上板周囲の下方に突出する複数の側板部を有するカバーと、を備えることを特徴とするディスクケース。
（８）  側板部の下端部は、隣接する他の側板部の下端部と一体化することを特徴とする前記（７）記載のディスクケース。
【発明の効果】
【０００９】
本発明によれば、ディスクケースの軽量化を図ることができる。
【発明を実施するための最良の形態】
【００１０】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
図１は、本実施の形態が適用されるディスクケース１００を説明するための図である。図１に示すように、ディスクケース１００は、ホルダー１０とカバー２０とから構成される。ホルダー１０は、円盤状の底板１１と、その底板１１の上面中央から上方に立設する断面円形の支持柱１２とを有する。支持柱１２の外径は、底板１１上に積み重ねた複数の光記録媒体３０の各中心孔３１に挿通できる太さにし、保管する光記録媒体３０の枚数、例えば、５０枚に合せた長さにする。
【００１１】
このような光記録媒体３０が、例えば、ＣＤやＣＤ−Ｒの場合は、その中心孔３１が直径１５ｍｍであるので、支持柱１２の外径を１４ｍｍ程度にする。又、支持柱１２の付根部に底板１１と一体に形成した円形台部１３を設ける。円形台部１３は光記録媒体３０を支持柱１２に挿入したとき、一枚目の光記録媒体３０の下面が底板１１の上面に接触しないようにするためのものであり、底板１１と別体にすることもできる。
【００１２】
カバー２０は、中央に突起部２３を設けた円形の上板２１と、その周囲からほぼ垂直下方に延びる外周壁２２とから構成され、その内部に、底板１１上に積み重ねた複数の光記録媒体３０を収納する収納空間を形成する。図１に示すように、外周壁２２には、外周壁２２の下端部まで切り取るように形成されたスリット状の切り欠きである開口部２４が設けられている。開口部２４は、上板２１の周囲に所定の間隔Ｄをもって６個設けられ、それぞれ上板２１と平行方向の幅Ｌより垂直方向の高さＨが大きくなるような長方形の形状を有している。
【００１３】
また、図１に示すように、開口部２４が、外周壁２２の一部を、上端部を残して下端まで切り取るように形成されることにより、カバー２０は、円形の上板２１と、開口部２４の幅Ｌに相当する所定の間隔をもって上板２１の周囲から下方に突出し、外周壁２２の下端部においてそれぞれが切り離された６個の側板部２５とを有する構造となる。
尚、外周壁２２の外径は、上端より下端に向かって順次増大し、上端の外径より下端の外径が大きくなるようにしてもよい。
【００１４】
ディスクケース１００のカバー２０に設ける開口部２４の幅Ｌ及び高さＨは、ディスクケース１００内部に収納する光記録媒体３０の枚数、大きさ等に応じて適宜決定され、特に限定されない。また、開口部２４の個数も、カバー２０を構成する材料の強度、光記録媒体３０の枚数、大きさ等に応じて適宜選択することができ、特に限定されない。
【００１５】
ディスクケース１００に複数の光記録媒体３０を収納する場合、各光記録媒体３０の中心孔３１に支持柱１２をそれぞれ挿通し、底板１１上に光記録媒体３０を積み重ねる。尚、各光記録媒体３０は、中央部に円形のクランピングエリア３２を有し、クランピングエリア３２の中心に中心孔３１が形成されている。
【００１６】
図２は、複数の光記録媒体３０を収納したディスクケース１００を説明するための図である。
図２に示すように、ディスクケース１００に複数の光記録媒体３０を収納する場合、ホルダー１０の底板１１上部に光記録媒体３０を所定数積み重ねた後、ホルダー１０にカバー２０を被せ、カバー２０の外周壁２２に形成された側板部２５の下端をホルダー１０の底板１１の上部外周部の外側に嵌めながら、カバー２０の内部空間内に底板１１上に積み重ねた光記録媒体３０を収納する。各光記録媒体３０の中心孔３１には、ホルダー１０の支持柱１２がそれぞれ挿通している。
【００１７】
図２に示すように、ホルダー１０の底板１１上に積み重ねた複数の光記録媒体３０には、それぞれの光記録媒体３０に記録された内容等の所定の情報を表示するインデックス４０が取り付けられている。インデックス４０は、例えば、書籍の頁と頁の間に挟んで使用するしおりのように、それぞれ、任意の積み重ねた２枚の光記録媒体３０の間に挟装され、インデックス４０の表示部が、光記録媒体３０の外周部より外側にはみ出している。この表示部に所定の情報等を記載する。
尚、インデックス４０の形状、大きさ等は種々選択され、特に限定されない。インデックス４０としては、例えば、糊付き付箋紙（例えば、住友スリーエム株式会社製ポスト・イット（登録商標））を挙げることができる。
【００１８】
図２に示すように、カバー２０の外周壁２２に、所定の間隔をもって開口部２４を設けることにより、光記録媒体３０に取り付けられているインデックス４０に記載された情報を、ディスクケース１００の外側から一目で認識することができる。
また、開口部２４を設けることにより、光記録媒体３０のレーベル面３３に記載された情報をディスクケース１００の外側から確認することができる。
さらに、カバー２０の外周壁２２に６個の開口部２４を設けることにより、カバー２０を構成する材料を低減し、且つ、ディスクケース１００の軽量化を図ることができる。
【００１９】
図３は、ディスクケースのカバーの他の実施形態を説明するための図である。
図３（ａ）に示すディスクケースのカバー２１０は、中央に突起部２１３を設けた円形の上板２１１と、開口部２１４を設けた外周壁２１２とから構成され、その内部に光記録媒体を収納する収納空間を形成する。図３（ａ）に示すように、外周壁２１２には、６個の開口部２１４が、外周壁２１２の一部を下端部２１６を残して長方形に切り取るように、上板２１１の周囲に所定の間隔で設けられる。隣接する２個の開口部２１４の間には、６個の側板部２１５がそれぞれ形成されている。
【００２０】
前述の図２に示したディスクケース１００のカバー２０とは異なり、開口部２１４は、外周壁２１２の下端部２１６を残すように設けられ、隣接する開口部２１４の間に形成されたそれぞれの側板部２１５の下端は外周壁２１２の下端部２１６と一体化している。側板部２１５の下端が外周壁２１２の下端部２１６と一体化することにより、カバー２１０の力学的強度が補強される。
【００２１】
次に、図３（ｂ）に示すディスクケースのカバー２２０は、中央に突起部２２３を設けた円形の上板２２１と、１２個の開口部２２４を設けた外周壁２２２とから構成され、その内部に光記録媒体を収納する収納空間を形成する。図３（ｂ）に示すように、１２個の開口部２２４は、外周壁２２２の下端部２２６及び中間部２２７を残し、外周壁２２２の一部を升目状に切り取るように、所定の間隔で設けられる。外周壁２２２の開口部２２４を設けることにより形成した側板部２２５は、外周壁２２２の下端部２２６と中間部２２７とでそれぞれ一体化され、その結果、カバー２２０の力学的強度がさらに補強される。
【００２２】
以上、本実施の形態において詳述した光記録媒体用のディスクケース１００は、カバー２０の外周壁２２に複数のスリット状の開口部２４を設けることにより、内部に収納する光記録媒体３０の種類等の情報を、ディスクケース１００の外側から一目で認識することができ、さらに、ディスクケース１００の軽量化を図ることができる。
【図面の簡単な説明】
【００２３】
【図１】本実施の形態が適用されるディスクケースを説明するための図である。
【図２】複数の光記録媒体を収納したディスクケースを説明するための図である。
【図３】ディスクケースのカバーの他の実施形態を説明するための図である。
【符号の説明】
【００２４】
１０…ホルダー、１１…底板、１２…支持柱、１３…円形台部、２０，２１０，２２０…カバー、２１，２１１，２２２…上板、２２，２１２，２２２…外周壁、２３，２１３，２２３…突起部、２４，２１４，２２４…開口部、２５，２１５，２２５…側板部、３０…光記録媒体、３１…中心孔、３２…クランピングエリア、３３…レーベル面、４０…インデックス、１００…ディスクケース、２１６，２２６…下端部、２２７…中間部
【図１】
2007118994.tif 000003
【図２】
2007118994.tif 000004
【図３】
2007118994.tif 000005